(57)【要約】【課題】操作性を向上させることが可能な光トランシーバを提供する。【解決手段】光トランシーバは、ケージに挿入されるハウジングと、ハウジングに対してＸ軸方向に移動自在に取り付けられ、Ｘ軸正方向側に移動させたときにケージと係合すると共にＸ軸負方向側に移動させたときに上記の係合を解除する係合部を有するスライド部２０と、スライド部２０の端部間を跨ぐと共にカバーハウジング５０の一部を囲むように設けられ、一対のスライド部２０に対して回動自在に取り付けられた取っ手部４０と、を備えている。取っ手部４０は、突出部４６を有し、突出部４６は、取っ手部４０をＸ軸方向側に回動させたときにベースハウジング６０に形成された凹部に入り込んでスライド部２０の移動を規制し、取っ手部４０をＸ軸負方向側に回動させたときに凹部から出て移動を許容する。【選択図】図８
2015031805.tif 000002
【特許請求の範囲】
【請求項１】
外部機器に挿入されるハウジングと、
前記ハウジングを挿入方向から見たときに前記ハウジングの両脇に位置し、前記ハウジングに対して前記挿入方向に沿って移動自在に取り付けられ、前記挿入方向側に移動させたときに前記外部機器と係合すると共に前記挿入方向の反対側に移動させたときに前記係合を解除する係合部を有する一対のスライド部と、
一対の前記スライド部の端部間を跨ぐと共に前記ハウジングの一部を囲むように設けられ、一対の前記スライド部に対して回動自在に取り付けられた取っ手部と、を備え、
前記ハウジングはストッパ面を備えており、
前記取っ手部は、前記挿入方向側に回動させたときに、前記ストッパ面と対向する第一の面を有しており、前記第一の面が前記ストッパ面に接して、前記スライド部の移動を規制し、かつ、前記取っ手部を前記挿入方向の反対側に回動させたときに、前記ストッパ面と前記第一の面の接触が解除されて、前記スライド部の移動を許容し、
前記スライド部は前記ストッパ面に対向する第二の面を備え、一対の前記スライド部を前記挿入方向の反対側へ移動させたときに、前記ストッパ面が前記第二の面に接して、前記スライド部の移動を規制する、
光トランシーバ。
【請求項２】
前記スライド部及び前記取っ手部のいずれか一方には第１の凹部が設けられ、他方には第１の突起部が設けられており、前記取っ手部の回動軸は、前記第１の凹部に嵌合された前記第１の突起部である、
請求項１に記載の光トランシーバ。
【請求項３】
前記取っ手部の少なくとも一部は、前記挿入方向から見たときに前記ハウジングの外側かつ一対の前記スライド部の内側に配置されている、
請求項１又は２に記載の光トランシーバ。
【請求項４】
前記スライド部及び前記取っ手部のいずれか一方には第２の凹部が設けられ、他方には第２の突起部が設けられており、前記挿入方向側への前記取っ手部の回動が終了したときに前記第２の凹部に前記第２の突起部が嵌合する、
請求項１〜３のいずれか一項に記載の光トランシーバ。
【請求項５】
外部機器に挿入されるハウジングと、
前記ハウジングを挿入方向から見たときに前記ハウジングの両脇に位置し、前記ハウジングに対して前記挿入方向に移動自在に取り付けられ、前記挿入方向側に移動させたときに前記外部機器と係合すると共に前記挿入方向の反対側に動させたときに前記係合を解除する係合部を有する一対のスライド部と、
一対の前記スライド部の端部間を跨ぐと共に前記ハウジングの一部を囲むように設けられ、一対の前記スライド部に対して回動自在に取り付けられた取っ手部と、を備え、
前記スライド部及び前記取っ手部のいずれか一方には凹部が設けられ、他方には突起部が設けられており、前記取っ手部の回動軸は、前記凹部に嵌合された前記突起部である、
光トランシーバ。
【発明の詳細な説明】
【技術分野】
【０００１】
本発明は、外部機器に対する挿抜機構を備えた光トランシーバに関する。
【背景技術】
【０００２】
光トランシーバは、ルータ又はスイッチ等の外部機器に対して挿抜可能となっている。特許文献１に記載された光トランシーバは、外部機器（ケージ）に挿入されるハウジングと、ハウジングに対して挿入方向に沿って移動するスライド部と、スライド部の湾曲孔部内で移動する突起を有しスライド部に対して回動自在に連結された取っ手部（ベイル）とを備えている。特許文献２には、ハンドルバーの回動をスライド部の直線運動に変換する光モジュールが記載されている。
【０００３】
特許文献１に記載された光トランシーバの側面には、外部機器と係合するための窪みが形成されており、この窪みに外部機器の爪部が入り込むことにより光トランシーバが外部機器に係合する。また、スライド部が上記挿入方向の反対方向に移動することによって、スライド部の先端に形成された突出部が外部機器の爪部を押し退けて外部機器に対する光トランシーバの係合が解除される。
【０００４】
スライド部の側面には取っ手部を保持するための突起が形成されており、取っ手部の上記挿入方向側への回動時には、取っ手部の爪部がスライド部の上記突起を乗り越えることによって取っ手部がスライド部に保持される。また、取っ手部を挿入方向の反対側に回動させると、取っ手部の突起がスライド部の湾曲孔部内で移動すると共に、スライド部が移動する。更に、取っ手部は、ハウジングの側面に圧入された軸ピンを中心として回動する。
【先行技術文献】
【特許文献】
【０００５】
【特許文献１】米国特許６，８５１，８６７号公報
【特許文献２】米国特許６，８７２，０１０号公報
【発明の概要】
【発明が解決しようとする課題】
【０００６】
上述した光トランシーバでは、取っ手部の回動と同時にスライド部の移動が行われ、取っ手部の回動が完全に終了しないと外部機器に対する光トランシーバの係合を解除することができない。よって、外部機器から光トランシーバを引き抜きにくくなっており、操作性の点で改善の余地がある。
【０００７】
本発明は、このような問題点に鑑みてなされたものであり、操作性を向上させることが可能な光トランシーバを提供することを目的とする。
【課題を解決するための手段】
【０００８】
本発明に係る光トランシーバは、その一側面として、外部機器に挿入されるハウジングと、ハウジングを挿入方向から見たときにハウジングの両脇に位置し、ハウジングに対して挿入方向に沿って移動自在に取り付けられ、挿入方向側に移動させたときに外部機器と係合すると共に挿入方向の反対側に移動させたときに係合を解除する係合部を有する一対のスライド部と、一対のスライド部の端部間を跨ぐと共にハウジングの一部を囲むように設けられ、一対のスライド部に対して回動自在に取り付けられた取っ手部と、を備え、前記ハウジングは挿入方向に向いたストッパ面を備えており、取っ手部は挿入方向側に回動させたときに、ストッパ面と対向する第一の面を有しており、第一の面がストッパ面に接触することで、スライド部の移動を規制し、かつ取っ手部を挿入方向の反対側に回動させたときに第一の面とストッパ面の接触が解除されて前記スライド部の移動を許容し、前記スライド部は前記ストッパ面に対向する第二の面を備え、一対の前記スライド部を前記挿入方向の反対側へ移動させたときに、前記ストッパ面が前記第二の面に接して、前記スライド部の移動を規制する。
【０００９】
また、本発明に係る光トランシーバは、別の側面として、外部機器に挿入されるハウジングと、ハウジングを挿入方向から見たときにハウジングの両脇に位置し、ハウジングに対して挿入方向に沿って移動自在に取り付けられ、挿入方向側に移動させたときに外部機器と係合すると共に挿入方向の反対側に移動させたときに係合を解除する係合部を有する一対のスライド部と、一対のスライド部の端部間を跨ぐと共にハウジングの一部を囲むように設けられ、一対のスライド部に対して回動自在に取り付けられた取っ手部と、を備え、スライド部及び取っ手部のいずれか一方には凹部が設けられ、他方には突起部が設けられており、取っ手部の回動軸は、凹部に嵌合された突起部である。
【発明の効果】
【００１０】
本発明によれば、操作性を向上させることができる。
【図面の簡単な説明】
【００１１】
【図１】本発明に係る光トランシーバの一実施形態を示す斜視図である。
【図２】図１の光トランシーバを示す正面図である。
【図３】図２の光トランシーバのIII−III線断面図である。
【図４】スライド部と取っ手部とを組み立てる状態を示す斜視図である。
【図５】スライド部と取っ手部を示す斜視図である。
【図６】ベースハウジングにスライド部と取っ手部を取り付けた状態を示す斜視図である。
【図７】取っ手部を回動させた状態を示す斜視図である。
【図８】取っ手部の回動及びスライド部の移動を行った状態を示す側面図である。
【図９】従来の光トランシーバを示す斜視図である。
【発明を実施するための形態】
【００１２】
［本願発明の実施形態の説明］
最初に本願発明の実施形態の内容を列記して説明する。
【００１３】
本願発明に係る光トランシーバは、その一側面として、外部機器に挿入されるハウジングと、ハウジングを挿入方向から見たときにハウジングの両脇に位置し、ハウジングに対して挿入方向に沿って移動自在に取り付けられ、挿入方向側に移動させたときに外部機器と係合すると共に挿入方向の反対側に移動させたときに係合を解除する係合部を有する一対のスライド部と、一対のスライド部の端部間を跨ぐと共にハウジングの一部を囲むように設けられ、一対のスライド部に対して回動自在に取り付けられた取っ手部と、を備え、前記ハウジングは前記挿入方向に向いたストッパ面を備えており、取っ手部は挿入方向側に回動させたときに、前記ストッパ面に対向する第一の面を備えていて、前記ストッパ面と前記第一の面が接触してスライド部の移動を規制し、かつ取っ手部を挿入方向の反対側に回動させたときには、ストッパ面と第一の面の接触が解除されてスライド部の移動を許容する。
【００１４】
この光トランシーバでは、例えば、ハウジングには第一の凹部が設けられていて、該凹部の内壁にはストッパ面がある。また、取っ手部には突出部が設けられていて、取っ手部の挿入方向側への回動時に突出部がハウジングの第１の凹部に入り込んで、ストッパ面と対向する第一の面がストッパ面と接触することによって、スライド部の移動を規制し、取っ手部を挿入方向の反対側に回動させることで前記突出部が前記第一の凹部から抜出して、すなわちストッパ面と突出部の第一の面との接触が解除されるためスライド部の移動を許容する。よって、取っ手部の回動動作とスライド部の移動とを別々に行うことができる。また、取っ手部の回動動作によって突出部が第１の凹部から出てストッパ面と第一の面との接触が解除されれば、取っ手部の回動が完全に終了しなくてもスライド部の移動が許容され、光トランシーバを外部機器から引き抜くことが可能となるので操作性が向上されている。また、スライド部はストッパ面に対向する第二の面を備えており、第二の面がストッパ面と接触することによってスライド部が一定の範囲を超えて移動しないように規制されてスライド部がハウジングから脱落することを防ぐ。さらに、取っ手部を持って光トランシーバを外部機器から引き抜く際に、第二の面がストッパ面を押圧することによって引き抜く力がハウジングに加えられる。ここでは、ハウジングは第一の凹部、取っ手部は突出部を備えており、それぞれにストッパ面と前記第一の面を備えた例を述べたが、凹部または突出部でなくてもストッパ面、第一の面を備えていれば良い。
【００１５】
また、スライド部及び取っ手部のいずれか一方には第２の凹部が設けられ、他方には第１の突起部が設けられており、取っ手部の回動軸は、第２の凹部に嵌合された第１の突起部であってもよい。このように取っ手部の回動軸が凹部に嵌合された突起部となっていると、軸ピン等が不要となるので構成を簡易にすることができる。
【００１６】
また、取っ手部の少なくとも一部は、挿入方向から見たときにハウジングの外側かつ一対のスライド部の内側に配置されていてもよい。この場合、取っ手部の少なくとも一部は、挿入方向から見たときにハウジングとスライド部との間に配置されることとなり、ハウジングとスライド部とによって強固に保持された状態となるので、取っ手部がハウジング又はスライド部から外れる事態を回避することができる。
【００１７】
また、スライド部及び取っ手部のいずれか一方には第３の凹部が設けられ、他方には第２の突起部が設けられており、挿入方向側への取っ手部の回動が終了したときに第３の凹部に第２の突起部が嵌合するようにしてもよい。この光トランシーバでは、挿入方向側への取っ手部の回動終了時に第２の突起部が第３の凹部に嵌合するので、回動終了後に取っ手部が逆方向に回動しにくくなっている。よって、回動終了後におけるスライド部の移動を確実に規制することができる。
【００１８】
また、本願発明は、別の側面として、外部機器に挿入されるハウジングと、ハウジングを挿入方向から見たときにハウジングの両脇に位置し、ハウジングに対して挿入方向に沿って移動自在に取り付けられ、挿入方向側に移動させたときに外部機器と係合すると共に挿入方向の反対側に移動させたときに係合を解除する係合部を有する一対のスライド部と、一対のスライド部の端部間を跨ぐと共にハウジングの一部を囲むように設けられ、一対のスライド部に対して回動自在に取り付けられた取っ手部と、を備え、スライド部及び取っ手部のいずれか一方には凹部が設けられ、他方には突起部が設けられており、取っ手部の回動軸は、凹部に嵌合された突起部である。
【００１９】
この光トランシーバは、スライド部を挿入方向側に移動させたときに外部機器と係合し、スライド部を挿入方向の反対側に移動させたときに上記の係合を解除する。また、スライド部及び取っ手部のいずれか一方には凹部が設けられ、他方には突起部が設けられており、取っ手部の回動軸は、凹部に嵌合された突起部となっている。このように、取っ手部の回動軸が凹部に嵌合された突起部となっているので、軸ピン等が不要になる。更に、凹部に突起部を嵌合させるだけで組み立てを行うことができるので製造を容易に行うことができる。従って、製造等のコストを抑えることが可能となる。
【００２０】
［本願発明の実施形態の詳細］
本実施形態の詳細について以下図面を参照しながら説明する。なお、本発明は、実施形態の例示に限定されるものではなく、特許請求の範囲によって示され、特許請求の範囲と均等の意味及び範囲内で全ての変更が含まれることが意図される。
【００２１】
本実施形態の光トランシーバ１は、例えばホストシステムのケージ（外部機器）に挿入されて使用される。図１〜図３に示されるように、光トランシーバ１は、長尺状のハウジング１０と、ハウジング１０に対してハウジング１０の長手方向に移動自在に取り付けられた一対のスライド部２０と、スライド部２０に対して回動軸３０を中心として回動自在に取り付けられた取っ手部４０と、を備えている。以下では、光トランシーバ１の長手方向に延びる軸をＸ軸、回動軸３０が延在する方向に延びる軸をＹ軸、Ｘ軸に対して垂直であって、かつＹ軸に対して垂直な方向に延びる軸をＺ軸として説明する。また、以下では、説明の便宜上、Ｚ軸正方向を上方、Ｚ軸負方向を下方、とすることがある。
【００２２】
ハウジング１０は、アルミニウム、亜鉛等の合金から成るダイキャスト製、あるいはプラスチック成型品から作られ、ケージに対してＸ軸正方向（挿入方向）に挿入される。ハウジング１０には、光サブアセンブリ及び電子回路等が収容される。ハウジング１０は、スライド部２０が載置されるベースハウジング６０と、スライド部２０を挟んでベースハウジング６０の反対側に設けられたカバーハウジング５０と、を備えている。
【００２３】
光トランシーバ１の光サブアセンブリ及び電子回路は、カバーハウジング５０とベースハウジング６０の間に配置されている。カバーハウジング５０の一端にはネットワークケーブル等のコネクタを光トランシーバ１に挿抜させるためのコネクタ挿抜部５１が設けられている。コネクタ挿抜部５１は、例えば２個のコネクタ挿抜孔５１ａを有しており、コネクタ挿抜孔５１ａにコネクタが挿入されることでカバーハウジング５０内部の電子回路等とネットワークケーブル等とが通信可能となる。
【００２４】
一対のスライド部２０は、ハウジング１０をＸ軸方向から見たときにハウジング１０の両脇に位置している。各スライド部２０は、コネクタ挿抜部５１の下方でＹ軸方向に延在する連結部２１によって接続されている。このように一対のスライド部２０を接続する連結部２１を有することで、各スライド部２０の移動を安定させることができる。また、各スライド部２０は、光トランシーバ１をケージと係合させるための係合部２２を有している。係合部２２は、各スライド部２０でＸ軸方向に延在する平坦な側面２３に対して、Ｘ軸正方向側の端部に設けられている。
【００２５】
係合部２２は、スライド部２０の側面２３から内側に傾斜する第１の傾斜面２２ａと、第１の傾斜面２２ａから外側に傾斜する第２の傾斜面２２ｂと、第２の傾斜面２２ｂの端部で外側に突出する突出部２２ｃと、を有している。係合部２２の突出部２２ｃは、スライド部２０がＸ軸正方向側に移動したときにカバーハウジング５０の側面５２に形成された受入凹部５２ａに入り込む。
【００２６】
ケージには、光トランシーバ１を係合するための爪部（不図示）が設けられている。ここで、スライド部２０をＸ軸正方向側に移動させると、ケージの爪部が第１の傾斜面２２ａと第２の傾斜面２２ｂとの間に入り込んで光トランシーバ１がケージに係合される。また、光トランシーバ１がケージに係合された状態でスライド部２０をＸ軸負方向側に移動させると、係合部２２の突出部２２ｃがケージの爪部をＹ軸負方向へ押し退けながらＸ軸負方向側に移動するので、ケージに対する光トランシーバ１の係合が解除される。
【００２７】
各スライド部２０は、下方に突出する突出部２４を備えている。各突出部２４は、ベースハウジング６０の凹部６１内で突出しており、ベースハウジング６０に対してスライド部２０がＸ軸方向に移動すると、スライド部２０の突出部２４が凹部６１内でＸ軸方向に移動する。
【００２８】
図４に示されるように、各スライド部２０は、スライド部２０に対して取っ手部４０を回動自在に連結するための取っ手連結部２５を備えている。各取っ手連結部２５は、スライド部２０における係合部２２の反対側の端部に設けられている。取っ手連結部２５は、板状部２５ａと、板状部２５ａから内方に突出した第１の環状突出部２５ｂと、第１の環状突出部２５ｂの中央で貫通する第１の孔部２５ｃと、スライド部２０の突出部２４で内方に突出した第２の環状突出部２５ｄと、第２の環状突出部２５ｄの中央で貫通する第２の孔部２５ｅと、を有している。板状部２５ａは、スライド部２０の側面２３の取っ手部４０側に形成されている。第１の環状突出部２５ｂは、連結部２１の上部位置に設けられている。
【００２９】
図２及び図４に示されるように、取っ手部４０は、一対のスライド部２０における取っ手連結部２５の間を跨ぐと共に、カバーハウジング５０におけるコネクタ挿抜部５１の上側を囲むように設けられている。取っ手部４０は、指を引っ掛けるための基部４１と、基部４１の両端で略直角に折り曲げられた一対の脚部４２と、各脚部４２の先端４２ａ近傍から脚部４２の延在方向と異なる方向に延在する枝部４３と、を備えている。基部４１は、コネクタ挿抜部５１の上方位置でＹ軸方向に延在している。また、脚部４２と枝部４３は、Ｘ軸方向から見たときに、コネクタ挿抜部５１の外側、かつ一対のスライド部２０の内側に配置されている。
【００３０】
各脚部４２の先端４２ａ近傍には、脚部４２から外方に突出する略円柱状の第１の突起部４４が設けられている。また、各枝部４３の先端４３ａ近傍には、枝部４３から外方に突出する第２の突起部４５と、ベースハウジング６０の凹部６１に入り込む突出部４６と、が設けられている。突出部４６の突出方向は、脚部４２の延在方向と略同一である。なお、第１及び第２の突起部４４，４５と突出部４６は、例えば、板金プレスにおけるコイニング又はバーリングによって成形される。
【００３１】
図４及び図５に示されるように、取っ手部４０とスライド部２０とを組み立てる際には、取っ手部４０の各脚部４２を内側に撓ませて、第１の突起部４４を内側からスライド部２０の孔部２５ｃに嵌め込む。このとき、取っ手部４０の突起部４４は略円柱状になっており、かつ孔部２５ｃの内側面も略円柱状となっているので、突起部４４は孔部２５ｃ内でスムーズに回転する。この孔部２５ｃに嵌合された突起部４４が、取っ手部４０をスライド部２０に対して回動させるための回動軸３０となる。
【００３２】
また、取っ手部４０をスライド部２０に対してＸ軸正方向側に回動させると、第２の突起部４５は、スライド部２０の環状突出部２５ｄに当接する。そして、取っ手部４０を更にＸ軸正方向側に回動させると、第２の突起部４５は、環状突出部２５ｄを乗り越え、その後内側から孔部２５ｅに嵌合する。ここで、第２の突起部４５の形状は、環状突出部２５ｄを乗り越えやすくするために略半球状となっている。
【００３３】
上記の環状突出部２５ｄ及び孔部２５ｅを備えたスライド部２０の突出部２４は、ベースハウジング６０の凹部６１内でＸ軸方向に移動自在となっている。ここで、図３及び図６に示されるように、ベースハウジング６０における凹部６１のＸ軸正方向側には、ネジ７０を挿通するための孔部６２がＺ軸方向に貫通するように２個形成されている（図３及び図６では１個のみ図示）。また、孔部６２の上方には、カバーハウジング５０のネジ穴５３が位置しており、下方から孔部６２に挿通されたネジ７０はネジ穴５３に螺合される。このように、スライド部２０の突出部２４を凹部６１内に位置させて、ネジ７０が孔部６２に挿通されネジ穴５３に螺合されることにより、カバーハウジング５０とベースハウジング６０は、スライド部２０を保持した状態で接合される。
【００３４】
次に、スライド部２０に対して取っ手部４０を回動させる回動動作と、ハウジング１０に対してスライド部２０を移動させるスライド動作について説明する。
【００３５】
まず、光トランシーバ１がケージに固定された状態では、スライド部２０はＸ軸正方向側に移動して係合部２２がケージに係合されており、この状態では、図３、図７（ａ）及び図８（ａ）に示されるように、取っ手部４０がＸ軸正方向側に回動された状態となっている。この状態では、取っ手部４０の基部４１がコネクタ挿抜部５１の上部に位置し、各脚部４２は、コネクタ挿抜部５１と取っ手連結部２５との間で略上下に延在している。
【００３６】
また、取っ手部４０の突起部４５はスライド部２０の孔部２５ｅ（図４参照）に嵌合しており、取っ手部４０の突出部４６はベースハウジング６０の凹部６１に入り込んでいる。よって、この状態でスライド部２０をＸ軸負方向側に移動させようとすると、突出部４６のＸ軸負方向側の端面４６ａが凹部６１の内壁面６１ａに当接するので、上記の移動が規制される。このように凹部６１の内壁面６１ａは、移動を規制するストッパ面として機能する。
【００３７】
この状態で取っ手部４０をＸ軸負方向側に回動させると、図７（ｂ）及び図８（ｂ）に示されるように、基部４１が回動軸３０（突起部４４）を中心としてＸ軸負方向側に倒れ込み、各脚部４２は、コネクタ挿抜部５１と取っ手連結部２５の間からＸ軸負方向側に突出する。また、取っ手部４０の突起部４５がスライド部２０の環状突出部２５ｄを乗り越えることによって、スライド部２０の孔部２５ｅに対する突起部４５の嵌合が解除される。
【００３８】
このとき、取っ手部４０の突出部４６がベースハウジング６０の凹部６１から上方に抜け出ることによって、スライド部２０のスライド規制が解除された状態となる。よって、図８（ｃ）に示されるように、スライド部２０をＸ軸負方向側に移動させてケージに対する係合部２２の係合を解除し、ケージから光トランシーバ１を引き抜くことが可能となる。このとき、凹部６１の内壁面６１ａが、スライド部２０の突出部２４のＸ軸負方向側の面２５ｆと接することによって、スライド部２０のＸ軸負方向への移動後の位置を決めるストッパ面となる。ケージから光トランシーバを引き抜く際には、面２５ｆが内壁面６１ａを押圧してハウジングに引き抜く方向の力を加える。
【００３９】
以上、光トランシーバ１では、取っ手部４０のＸ軸正方向側への回動時に突出部４６がベースハウジング６０の凹部６１に入り込んで、内壁面６１ａと端面４６ａが接触してスライド部２０のスライドの移動を規制し、取っ手部４０をＸ軸負方向側に回動させることでスライドの移動を許容する。よって、取っ手部４０の回動動作とスライド部２０の移動とを別々に行うことができる。また、取っ手部４０の回動動作によって突出部４６が凹部６１から出て内壁面６１ａと端面４６ａの接触が解除されれば、取っ手部４０の回動が完全に終了しなくてもスライドの移動が許容される。このとき、凹部６１の内壁面６１ａは、Ｘ軸負方向へ移動したスライド部２０の突出部２４のＸ軸負方向側の面２５ｆと接することによって、スライド部２０のＸ軸負方向への移動後の位置を決めるストッパ面となる。ケージから光トランシーバを引き抜く際には、面２５ｆが内壁面６１ａを押圧してハウジングに引き抜く方向の力を加え、光トランシーバ１をケージから引き抜くことが可能となるので操作性が向上されている。
【００４０】
また、誤操作または意図せずに取っ手部をＸ軸負方向に回動させてしまった場合、取っ手部の回動に連動してスライド部が移動する従来構造では、同時に光トランシーバとケージとの係合が解除されてしまうが、本願で開示した光トランシーバ１においては、取っ手部４０が回動しただけではスライド部は移動しないため、光トランシーバ１とケージとの係合が誤って解除されてしまうことは無い。更に、取っ手部４０を回動させることなく、直接スライド部２０を掴んでスライドさせる等の想定外の操作（意地悪操作）がなされたとしても、取っ手部４０をＸ軸負方向側に回動させなければスライドが移動ができなくなっているので、上述した操作を阻止することが可能となる。
【００４１】
ところで、図９に示されるように、従来の光トランシーバ１０１は、本実施形態のハウジング１０と同様のハウジング１１０と、ハウジング１１０に対して移動自在なスライド部１２０と、軸ピン１３０を中心としてスライド部１２０に対して回動自在な取っ手部１４０と、を備えている。ここで、従来の光トランシーバ１０１では、軸ピン１３０が取っ手部１４０の孔部１４１とスライド部１２０の孔部１２１に挿入されると共にハウジング１１０の外側面に圧入される。よって、光トランシーバ１０１では、製造時において軸ピン１３０を圧入するための専用設備が必要となる。また、軸ピン１３０が一旦ハウジング１１０に圧入されると、仮にハウジング１１０以外の部品に不具合があることがわかったとしても、既に圧入されているため、ハウジング１１０の再利用ができないこととなる。このため、製造等のコストを抑えることが難しかった。
【００４２】
このような従来の光トランシーバ１０１に対し、本実施形態の光トランシーバ１は、軸ピン１３０が不要な構造となっており、軸ピン１３０の圧入が不要になるため、ハウジング１０の再利用が可能となるので、製造等のコストを抑えることが可能となっている。
【００４３】
また、図４に示されるように、取っ手部４０の回動軸３０は、孔部２５ｃに嵌合された突起部４４となっているので、軸ピン１３０等は不要となり構成を簡易にすることができる。一方、従来の光トランシーバ１０１では、取っ手部１４０が、スライド部１２０に引っ掛けるための掛け止め突起１４２と、スライド部１２０の湾曲孔部１２２内で移動する突起１４３とを備えており、複雑な構造となっている。
【００４４】
また、図２に示されるように、取っ手部４０の少なくとも一部は、コネクタ挿抜部５１とスライド部２０との間に配置されている。よって、取っ手部４０は、コネクタ挿抜部５１とスライド部２０とに挟まれ強固に保持された状態となるので、取っ手部４０が外れる事態を回避することができる。
【００４５】
また、図４及び図５に示されるように、Ｘ軸正方向側への取っ手部４０の回動終了時に突起部４５が孔部２５ｅに嵌合するので、回動終了後に取っ手部４０がＸ軸負方向側に回動しにくくなっている。よって、取っ手部４０が勝手にＸ軸負方向側に回動する事態を回避できると共に、回動終了後におけるスライド部２０の移動を確実に規制することができる。
【００４６】
更に、図３に示されるように、光トランシーバ１では、光トランシーバ１の底面に対する突起部４４の中心Ｏの高さＨ１と、光トランシーバ１の底面に対する内壁面６１ａの上端の高さＨ２とが略一致している。よって、突起部４４（回動軸３０）を中心とした回転時におけるモーメントの腕の長さを小さくすることが可能となるので、意地悪操作等で、取っ手部４０をＸ軸負方向へ回動させずにスライド部２０を直接スライドさせようとしても、取っ手部４０が回動しにくくなっている。従って、スライド部２０のスライドによって取っ手部４０が勝手に回動してしまう事態を回避することができる。
【００４７】
また、従来の光トランシーバ１０１では、取っ手部１４０をＸ軸負方向側に回動させたときに掛け止め突起１４２がＸ軸負方向側に突出するので、操作時に指等が掛け止め突起１４２に接触して操作性を損なう虞がある。しかしながら、光トランシーバ１では、取っ手部４０をＸ軸負方向側に回動させても枝部４３が各スライド部２０の内側に位置したままとなっており、枝部４３等が突出することはない。よって、操作時に指が突起等に接触して操作性を損なう虞を回避することができ、より操作性に富んだ構造となっている。
【００４８】
以上、本発明に係る光トランシーバの一実施形態について説明したが、本発明は必ずしも上記実施形態に限られず、その要旨を逸脱しない範囲で様々な変更が可能である。
【００４９】
例えば、上記実施形態において、光トランシーバ１は、一対のスライド部２０を接続する連結部２１を有していたが、連結部２１は無くてもよい。また、スライド部２０は、第１及び第２の孔部２５ｃ，２５ｅを有していたが、これらの孔部に代えて、貫通しない凹部が設けられていてもよい。更に、スライド部２０は、ハウジング１０に対して移動可能なものであればよく、スライド部２０の形状は適宜変更可能である。
【００５０】
また、上記実施形態では、取っ手部４０が突起部４４を有し、スライド部２０が孔部２５ｃを有しており、孔部２５ｃに嵌合された突起部４４が回動軸３０として機能した。しかし、回動軸の構成は上記に限定されず、例えば、取っ手部の孔部とスライド部の突起部とによって回動軸が構成されていてもよい。実施例では、内壁面６１ａは凹部６１の内部に設け、端面４６ａは取っ手部４０の突出部４６に設け、面２５ｆをスライド部２０の突出部２４に設けた構造を開示したが、内壁面６１ａの代わりにハウジング１０はＸ軸性方向に向いたストッパ面を備えて、取っ手部４０はＸ軸性方向に回動したときに、ストッパ面と対向して接触する第一の面を備えて、スライド部２０は、Ｘ軸負方向に移動したときにストッパ面と対向して接触する第二の面を備えていれば、実施例の構造に限定されない。
【００５１】
また、上記実施形態では、取っ手部４０の回動終了時に取っ手部４０の突起部４５がスライド部２０の孔部２５ｅに嵌合した。しかし、取っ手部の回動終了時における嵌合構造も上記に限定されず、例えば、スライド部の突起部が取っ手部の孔部に嵌合してもよい。更に、上記の嵌合構造が無くてもよい。
【００５２】
また、上記実施形態では、取っ手部４０が基部４１と一対の脚部４２及び枝部４３とを備えていたが、取っ手部４０の形状を適宜変更してもよい。
【００５３】
また、上記実施形態では、ハウジング１０がカバーハウジング５０とベースハウジング６０とを備えており、カバーハウジング５０がコネクタ挿抜部５１を有していた。しかし、本発明に係る光トランシーバのハウジングは、外部機器に挿入可能なものであればよく、ハウジングの形状や構造も適宜変更可能である。
【符号の説明】
【００５４】
１…光トランシーバ、１０…ハウジング、２０…スライド部、２２…係合部、２５ｃ…孔部（第２の凹部）、２５ｅ…孔部（第３の凹部）、３０…回動軸、４０…取っ手部、４４…突起部（第１の突起部）、４５…突起部（第２の突起部）、４６…突出部、５０…カバーハウジング（ハウジング）、６０…ベースハウジング（ハウジング）、６１…凹部（第１の凹部）。
【図１】
2015031805.tif 000003
【図２】
2015031805.tif 000004
【図３】
2015031805.tif 000005
【図４】
2015031805.tif 000006
【図５】
2015031805.tif 000007
【図６】
2015031805.tif 000008
【図７】
2015031805.tif 000009
【図８】
2015031805.tif 000010
【図９】
2015031805.tif 000011